(57)【特許請求の範囲】
【請求項１】
天板を備えたテーブル本体にパネルを少なくとも２つの態様で取り付け得るようにしたも
のであって、
テーブル本体にテーブル側取付具を設けるとともに、
パネルの上下方向中心よりも上下何れかの縁部へ偏った位置に上下方向から前記テーブ
ル側取付具に差し込み又は抜き取ることによって係脱可能なパネル側被取付具を設け、
このパネル側被取付具は、上下を反転させても上下方向から前記テーブル側取付具に差
し込み又は抜き取ることによって係脱可能であり、
このパネル側被取付具を備えたパネルを上下反転させることによって、反転前後でパネ
ルのうち天板より上方に突出する寸法と天板より下方に突出する寸法とを変化させ得るよ
うにし、
左右の脚体の間がフレームで連結され、これら脚体およびフレームは天板から離間してい
て、天板の前後方向中央部のみが天板受けを介してフレームに支持されており、前記天板
に直接または前記天板受けを介してテーブル側取付具が設けられていることを特徴とするテーブル。
【請求項２】
天板を備えたテーブル本体にパネルを少なくとも２つの態様で取り付け得るようにしたも
のであって、
テーブル本体にテーブル側取付具を設けるとともに、
パネルの上下方向中心よりも上下何れかの縁部へ偏った位置に上下方向から前記テーブル側取付具に差し込み又は抜き取ることによって係脱可能なパネル側被取付具を設け、
このパネル側被取付具は、上下を反転させても上下方向から前記テーブル側取付具に差し込み又は抜き取ることによって係脱可能であり、
このパネル側被取付具を備えたパネルを上下反転させることによって、反転前後でパネルのうち天板より上方に突出する寸法と天板より下方に突出する寸法とを変化させ得るようにし、
テーブル本体が対をなす脚を備え、前記テーブル側取付具が前記対をなす脚と脚の間において前記天板に設けられることを特徴とするテーブル。
【請求項３】
天板を備えたテーブル本体にパネルを少なくとも２つの態様で取り付け得るようにしたものであって、
テーブル本体にテーブル側取付具を設けるとともに、
パネルの上下方向中心よりも上下何れかの縁部へ偏った位置に上下方向から前記テーブル側取付具に差し込み又は抜き取ることによって係脱可能なパネル側被取付具を設け、
このパネル側被取付具は、上下を反転させても上下方向から前記テーブル側取付具に差し込み又は抜き取ることによって係脱可能であり、
このパネル側被取付具を備えたパネルを上下反転させることによって、反転前後でパネルのうち天板より上方に突出する寸法と天板より下方に突出する寸法とを変化させ得るようにし、
パネル側被取付具は、パネル面に止着具を用いて取り付けられるものであり、係合相手であるテーブル側取付具によって係合時に同時に当該止着具が隠蔽されることを特徴とするテーブル。
【請求項４】
天板を備えたテーブル本体にパネルを少なくとも２つの態様で取り付け得るようにしたものであって、
テーブル本体にテーブル側取付具を設けるとともに、
パネルの上下方向中心よりも上下何れかの縁部へ偏った位置に上下方向から前記テーブル側取付具に差し込み又は抜き取ることによって係脱可能なパネル側被取付具を設け、このパネル側被取付具は、上下を反転させても上下方向から前記テーブル側取付具に差し込み又は抜き取ることによって係脱可能であり、
このパネル側被取付具を備えたパネルを上下反転させることによって、反転前後でパネルのうち天板より上方に突出する寸法と天板より下方に突出する寸法とを変化させ得るようにし、
テーブル側取付具とパネル側被取付具が天板の縁部に沿って複数箇所に設けられるとともに、各々のテーブル側取付具が上下方向に延びる起立杆を具備し、各々のパネル側被取付具が前記起立杆を挿入すべく上下方向に貫通する挿入孔を有していることを特徴とするテーブル。
【請求項５】
パネル側被取付具は、挿入孔を挿入方向と異なる方向に開口させる窓と、この窓の内奥に設けられて止着具を挿通可能な止着用孔と、当該止着用孔の上下位置にあってテーブル側取付具との係合時に当該テーブル側取付具の一部に当接して係合深さを規制する受け部とを具備している請求項４記載のテーブル。
【請求項６】
パネル側被取付具は、止着具を挿通可能な上下一対の止着用孔と、両止着用孔の間にあってテーブル側取付具との係合時に当該テーブル側取付具の一部に当接して係合深さを規制する受け部とを具備している請求項４記載のテーブル。
【請求項７】
挿入孔の平断面を、天板の縁部に沿った方向を長手方向とする楕円、長円、長方形等の横長形状としている請求項４〜６の何れかに記載のテーブル。
【請求項８】
テーブル側取付具が、基端部を天板の下面に取り付けられ先端部を天板下面よりも下方に持ち出される受け座と、この受け座の先端部から立ち上がる前記起立杆とを具備する一方、パネル側被取付具が前記起立杆を挿入すべく上下方向に貫通する前記挿入孔を有している請求項４〜７の何れかに記載のテーブル。
【発明の詳細な説明】
【技術分野】
【０００１】
本発明は、テーブル本体にパネルを、デスクトップパネルとして利用可能な形態と、幕板として利用可能な形態とに簡単に付け替え可能としたテーブルに関するものである。
【背景技術】
【０００２】
従来より、パネルの付け替えを可能としたテーブルとして、特許文献１、２に示すものが知られている。
【０００３】
特許文献１のオフィステーブルは、垂直部３の上下端に、夫々前方に水平状に延びる支持部４と脚部５とを設け、かつ、垂直部３の背面位置に、取付部６を設けた左右一対の脚部材１、２と、端部が脚部材１、２の取付部６に取り付けられて左右一対の脚部材１、２を連結するビーム１５と、左右一対の脚部材１、２の支持部４間に下面が取り付けられる天板１８と、幕板１２の内面左右位置に前記脚部材１、２の取付部６と対向して前記ビーム１５の端部を前記取付部６との間で挟着する取付部１１を有した取付部片９を夫々設け、かつ取付部１１から幕板１２の上下縁までの距離を異ならしめて構成されている。
【０００４】
すなわち、前後幅の短い天板１８を使用する場合には、取付部１１からの距離が長い上縁を上位にして取付部片９を脚部材１、２に対し固着し、天板前後幅が長くその後縁が幕板１２の位置を越える場合には、取付部１１からの距離が短い下縁を上位にして、取付部片９を脚部材１、２に対し固着することが可能とされている。
【０００５】
また、特許文献２のものは、両側に配置した脚体３、３間に机天板２を固定するとともに、前記机天板３の背面側の前記両脚体３、３間に、パイプ材にて作成して上端縁を支持部とし、上下位置反転させることで前記机天板３の上面の上下に出没自在とした支持部材２０を取付けてなり、前記支持部材２０を机天板３の上面に突出させたときには上端縁の支持部２１で製図板等の下面を支持して机天板３上に製図板等を傾斜状態に載置しうるようにしている。
【先行技術文献】
【特許文献】
【０００６】
【特許文献１】特公平０４−５０８１０号公報
【特許文献２】実公平０６−２８０２２号公報
【発明の概要】
【発明が解決しようとする課題】
【０００７】
しかしながら、これらの特許文献のものは何れも、幕板や支持部材の取付先が天板の左右両端を支持する脚の背面部に設定してあるため、このような位置に脚を有しないテーブル、あるいは取付に適さない脚形状のテーブルには適用することができないという問題がある。
【０００８】
また、幕板や支持部材の左右両端において各々複数箇所をビスを用いて水平方向に脚にねじ止めし、上下反転させる際にはビスを外して幕板を付け替え再び水平方向に脚にねじ止めするようにしているため、ビスの着脱に手間が掛かる上に、パネルを一時的に担持した状態でビスの着脱作業を行わなければならないことから一人での作業が難しく、総じてパネルの使い勝手が悪いという欠点がある。
【０００９】
さらに、特許文献２のものは背面側にビス止め箇所が露出して見栄えを損なうという欠点があり、特許文献１のものは天板の下肢空間側からビス止めを行うために見栄えの毀損は避けられるものの天板下に潜り込んで作業を行う必要があるため作業性が更に悪くなるという難点がある。
【００１０】
本発明は、このような課題に着目してなされたものであって、一人でも手軽に付け替え作業を行うことができ、脚の構造に依存することなく取り付けが可能で、見栄えも損なわないようにした、簡易なパネル取付構造を有するテーブルを提供することを目的としている。
【課題を解決するための手段】
【００１１】
本発明は、かかる目的を達成するために、次のような手段を講じたものである。
【００１２】
すなわち、本発明のテーブルは、天板を備えたテーブル本体にパネルを少なくとも２つの態様で取り付け得るようにしたものであって、テーブル本体にテーブル側取付具を設けるとともに、パネルの上下方向中心よりも上下何れかの縁部へ偏った位置に上下方向から前記テーブル側取付具に差し込み又は抜き取ることによって係脱可能なパネル側被取付具を設け、このパネル側被取付具は、上下を反転させても上下方向から前記テーブル側取付具に差し込み又は抜き取ることによって係脱可能であり、このパネル側被取付具を備えたパネルを上下反転させることによって、反転前後でパネルのうち天板より上方に突出する寸法と天板より下方に突出する寸法とを変化させ得るようにした。
【００１３】
このように構成すれば、パネルを把持して上下何れかの縁部が上または下になるように必要に応じて反転させた後、上下方向に操作するだけで、パネル側被取付具をテーブル側取付具に取り付けることができる。このため、パネルを担持したまま別異のネジ止め作業等を行うことが不要であり、初期取付時や一の態様から他の態様への付け替え時に一人でも極めて平易に作業を行うことができる。しかも、テーブル側取付具は脚ではなく天板に設けられるので、天板の縁部に沿って取付位置に自由度が得られ、適用の可否が脚の構造に依存することもなくなる。
【００１４】
特に本発明は、左右の脚体の間がフレームで連結され、これら脚体およびフレームは天板から離間していて、天板の前後方向中央部のみが天板受けを介してフレームに支持されており、前記天板に直接または前記天板受けを介してテーブル側取付具が設けられていることを特徴とする。また本発明は、テーブル本体が対をなす脚を備え、前記テーブル側取付具が前記対をなす脚と脚の間において前記天板に設けられることを特徴とする。
【００１５】
そして本発明は、パネル側被取付具がパネル面に止着具を用いて取り付けられる場合に、部品点数を増やすことなく、取付時の良好な外観を確保するためには、係合相手であるテーブル側取付具によって係合時に同時に止着具が隠蔽されることを特徴とする。
【００１６】
さらに本発明は、テーブル側の起立杆に対してパネル側の挿入孔を上下何れの側から挿入するかによって取付姿勢を簡単に上下反転させ得るようにするためには、テーブル側取付具とパネル側被取付具が天板の縁部に沿って複数箇所に設けられるとともに、各々のテーブル側取付具が上下方向に延びる起立杆を具備し、各々のパネル側被取付具が前記起立杆を挿入すべく上下方向に貫通する挿入孔を有していることを特徴とする。
【００１７】
パネル側被取付具をパネルに取り付けることができ、かつテーブル側の起立杆に対してパネル側の挿入孔を上下何れの側から挿入するかによって取付姿勢を簡単に上下反転させつつ所定高さ位置に適切に係合させ得るようにするための具体的な実施の一態様としては、パネル側被取付具は、挿入孔を挿入方向と異なる方向に開口させる窓と、この窓の内奥に設けられて止着具を挿通可能な止着用孔と、当該止着用孔の上下位置にあってテーブル側取付具との係合時に当該テーブル側取付具の一部に当接して係合深さを規制する受け部とを具備しているものが挙げられる。
【００１８】
同様に、パネル側被取付具をパネルに取り付けることができ、かつテーブル側の起立杆に対してパネル側の挿入孔を上下何れの側から挿入するかによって取付姿勢を簡単に上下反転させつつ所定高さ位置に適切に係合させ得るようにするための具体的な実施の他の態様としては、パネル側被取付具は、止着具を挿通可能な上下一対の止着用孔と、両止着用孔の間にあってテーブル側取付具との係合時に当該テーブル側取付具の一部に当接して係合深さを規制する受け部とを具備しているものが挙げられる。
【００１９】
これらにおいて、挿入孔を上下方向から起立杆に差し込む際にパネルが多少傾いていても複数の挿入孔を対応する起立杆に適切に差し込むことができるようにするためには、挿入孔の平断面を、天板の縁部に沿った方向を長手方向とする楕円、長円、長方形等の横長形状としていることが望ましい。
【００２０】
さらに、パネルのうちパネル側被取付具により近い上下何れかの縁部を上にしてパネルを取り付けた際に、当該縁部が天板から殆ど突出しないようにするためには、テーブル側取付具が、基端部を天板の下面に取り付けられ先端部を天板下面よりも下方に持ち出される受け座と、この受け座の先端部から立ち上がる前記起立杆とを具備する一方、パネル側被取付具が前記起立杆を挿入すべく上下方向に貫通する前記挿入孔を有していると効果的である。
【発明の効果】
【００２１】
本発明は、以上説明した構成であるから、必要に応じてパネルを反転させ、上下方向に操作するだけで、パネル側被取付具をテーブル側取付具に取り付けることができる。このため、パネルを担持したまま別異のネジ止め作業等を行うことが不要であり、一人でも極めて平易に作業を行うことができて作業性が格段に向上することとなる。しかも、テーブル側取付具は脚体ではなく天板に設けられるので、天板の縁部に沿って取付位置に自由度が得られ、適用の可否が脚の構造に依存することもなくなって汎用性も向上したものになる。
【図面の簡単な説明】
【００２２】
【図１】本発明の一実施形態に係るテーブルを２つのパネル取付態様とともに示す斜め後方斜視図。
【図２】同テーブルのパネル取付構造を示す分解斜視図。
【図３】同パネルの内部構造を示す説明図。
【図４】同パネルの取付手順をテーブル側取付具とパネル側被取付具の対応関係とともに示す斜視図。
【図５】同パネルを一態様において取り付けた状態を示す側断面図。
【図６】同パネルを他の態様において取り付けた状態を示す側断面図。
【図７】図１に対応した斜め前方部分斜視図。
【図８】本発明の変形例を示す図。
【図９】本発明の他の変形例を示す図。
【図１０】本発明の他の変形例を示す図。
【図１１】本発明の他の変形例を示す図。
【発明を実施するための形態】
【００２３】
以下、本発明の一実施形態を、図面を参照して説明する。
【００２４】
この実施形態のテーブルは、図１に示すように、天板１１を備えたテーブル本体１にパネル２を同図（ａ）、（ｂ）に示すように異なる高さ位置に取り付けるべく、図２に示すように天板１１にテーブル側取付具３を取り付け、パネル２にパネル側被取付具４を取り付けている。
【００２５】
図１に示すテーブル本体１は、対をなす脚体１２、１２によって天板１１の左右両端１１ａ、１１ａ近傍の下面を支持したもので、脚体１２は後下方に伸びる後脚１２ａと前下方に延びる前脚１２ｂとを「人」型に接続した形態をなしている。左右の脚体１２の上端部間はフレーム１２ｘによって連結されているが、これらの脚体１２やフレーム１２ｘは天板１１から離間していて接触しておらず、天板１１の下面に設けた下向きチャネル状の天板受け１１ｘの前後方向ほぼ中央部のみがフレーム１２ｘに接触し、この天板受け１１ｘの前後方向中央部のみにおいて天板１１が支持されている。天板受けは左右の脚体１２、１２よりも内側に位置している。すなわち、脚体１２およびフレーム１２ｘからなる脚構造体が天板１１を支持する上で材料の少ない構造となっており、なお且つ天板１１に対して前後方向に重量バランスのとれた支持状態を実現している。このような構造ゆえ、脚体１２やフレーム１２ｘ等の脚構造体の構成要素にパネル２を取り付けられるような場所は殆どない。前脚１２ｂおよび後脚１２ａの下端はキャスタ１２ｃによって滑動自在に支持されていて移動自在であり、モバイルデスク等としての利用が可能となっている。
【００２６】
天板１１は、平面視ほぼ矩形状のもので、左右両端部１１ａを天板受け１１ｘよりも若干左右外側にオーバーハングさせている。
【００２７】
パネル２は、幅寸法Ｗ１が天板１１の幅寸法Ｗ２に略対応し、高さ寸法Ｈがデスクトップパネルまたは幕板として机上空間や下肢空間を適度に目隠しできる寸法に設定されたもので、軽量素材により構成されている。具体的には、図３〜図５に示すように、上縁２ａ、下縁２ｂおよび左右の側縁２ｃ、２ｄに沿ってＭＤＦ（中密度繊維板：medium density fiberboard）等の補強板２１ａ、２１ｂ、２１ｃを周回するように枠状に配置するとともに、左右の側縁２ｃ、２ｄ近傍において上縁２ａ側の補強板２１ａと下縁２ｂ側の補強板２１ｂの間を接続する位置にも補強板２１ｄを配置し、補強板２１ａ〜２１ｃの内側には補強板２１ｄが無いところにペーパーハニカム等の芯材２２を配置して、これらを両側から低発泡ポリエチレンシートや発泡ポリプロピレンシート等の軽量シート２３でサンドイッチし、さらに表裏面側からそれぞれ軽量シート２３の表面を表層材２４で包んで、表層材２４の周縁を一対の軽量シート２３、２３の間の目地２３ａに埋め込んだものである。適宜部位には接着剤が用いてあり、補強板２１ｄにはインサートナット２５が埋設してある。インサートナット２５の埋設位置は、パネル２に対して上下方向中心ｍよりも上下何れかの縁部（図３および図５では下縁２ｂ）へ偏った位置に設定されている。このように構成されるパネル２は、一人の作業者が指先で摘んで持ち上げることができる程度にまで軽量化され、しかも、軽量でありながら、内部に芯材２２や補強板２１ａ〜２１ｄを内設していることによりパネル表面を指先で押さえても凹み痕が残った状態となることが極力解消されている。また、パネル２は補強板（特に２１ａ、２１ｂ）によって全体が弾性的に撓ることができるものとなっている。
【００２８】
テーブル側取付具３は、図２及び図５に示すように、基端部３１ａをネジ等の止着具ｖ１を介して天板１１の下面１１ｂに取り付けられ垂下部３１ｂを介して先端部３１ｃを天板１１の下面１１ｂよりも下方且つ天板１１の後縁部１１ｃよりも後方に持ち出されるクランク板状（階段状）の受け座３１と、この受け座３１の先端部３１ｃから立ち上がる起立杆たる軸部３２とを具備している。軸部３２の高さ寸法ｈ１は基端部３１ａと先端部３１ｃの高低差にほぼ対応している。この実施形態では、テーブル側取付具３は図１（ｂ）および図５等に示すように下向きチャネル状の天板受け１１ｘの内部に基端部３１ａを収容されて当該天板受け１１ｘの頂部を介して天板１１に取り付けられており、左右に対をなす脚体１２と脚体１２（後脚１２ａと後脚１２ａ）の間に収まる２位置に配置されている。この状態で、図４（ａ）に示すように両テーブル側取付具３の軸部３２、３２間の距離は所定寸法ｄ１に設定されている。
【００２９】
一方、パネル側被取付具４は、前記軸部３２に対して上下方向から差し込み又は抜き取ることによって係脱可能、かつ図４（ｃ）に示すように当該パネル側被取付具４の上下を反転させても軸部３２に対して上下方向から差し込み又は抜き取ることによって係脱可能となるように、挿通孔４１を上下方向に貫通させてなるもので、図２及び図５に示すように挿入孔４１を挿入方向と異なる方向すなわちこの実施形態ではパネル面２ｘの法線方向に開口させる窓４２と、この窓４２の内奥に設けられてネジ等の止着具ｖ２を挿通可能な止着用孔４３と、当該止着用孔４３の上下位置にある受け部４４、４５とを具備している。パネル側被取付具４の上下寸法ｈ２（図２参照）は軸部３２の上下寸法ｈ１よりも若干長く設定されている。受け部４４は、パネル側被取付具４の挿通孔４１にテーブル側取付具３の軸部３２が差し込まれて係合された際にその端面４４ａが当該テーブル側取付具３の一部である先端部３１ｃの上面に当接して挿通孔４１の係合深さを規制するストッパとして機能するもので、窓４２の下に位置する壁部４４ｂは軸部３２が外れないように挿通孔４１を閉じる役割をなしている。このパネル側被取付具４は上下対称であって、図６に示すように上下反転させてももう一つの受け部４５の端面４５ａ及び壁部４５ｂは上記受け部４４の端面４４ａ及び壁部４４ｂと同じように機能する。この実施形態のパネル側被取付具４は、前後方向すなわち止着具ｖ２の挿抜方向を割方向とする図示しない母型と挿通孔４１への軸部３２の挿通方向をスライド方向とする図示しないスライド型とによって一体成形されている。この実施形態のパネル側被取付具４にはアルミ素材が用いてあるが、これ以外に樹脂その他の素材を用いても構わない。
【００３０】
そして、このパネル側被取付具４の取り付けは、図２及び図５に示すようにパネル面２ｘに対してほぼ法線方向から前記窓４２を介して止着用孔４３に止着具ｖ２を指し通し、この止着具ｖ２を前記インサートナット２５に締結することにより行う。これにより、パネル側被取付具４はパネル２に対して前記上下方向中心ｍよりも上下何れかの縁部（この実施形態では２ｂ）側へ偏った位置に取り付けられ、この状態で図４（ａ）に示す左右のパネル側被取付具４の挿通孔４１、４１間の距離ｄ２は前記軸部３２、３２間の距離ｄ１にほぼ等しくなるように設定されている。
【００３１】
このようにすることで、例えば図４（ａ）に示す下向きの矢印に沿ってパネル側被取付具４に近い側の縁部２ｂを下にしてその挿通孔４１をテーブル側取付具３の軸部３２に上方から差し込むと、図５及び図７（ａ）に示すように窓４２の内側を係合相手である軸部３２が通過し、この軸部３２によって止着具ｖ２が隠蔽された状態になるとともに、パネル２の大半が天板１１の上方に突出して、パネル２が天板１１の上方空間を遮蔽するデスクトップパネルとして機能することになる。一方、図４（ａ）に示す上向きの矢印に沿ってパネル２を持ち上げてパネル側被取付具４をテーブル側取付具３から抜き取り、図４（ｃ）に示すようにパネル側被取付具４が上下反転するようにパネル２を姿勢変更させたのち、同図に示す下向きの矢印に沿って再びこのパネル側被取付具４の挿通孔４１を図６及び図７（ｂ）に示すようにテーブル側取付具３の軸部３２に上方から差し込むことが可能であり、この場合にも軸部３２によって止着具ｖ２が隠蔽された状態になるとともに、パネル２の大半が天板面１１ｄよりも低い位置に配置されて、パネル２が天板１１の下肢空間を隠蔽する幕板として機能することになる。
【００３２】
なお、実際にはパネル側被取付具４はパネル２の表裏何れかの面に取り付けられるため、図４（ａ）の状態から同図（ｂ）に湾曲矢印で示すように上下方向を反転し、更に同図（ｃ）に湾曲矢印で示すように左右方向を反転させることによって、左右のパネル側被取付具４を左右入れ替えてテーブル側取付具３に対峙させることができる。
【００３３】
以上のように、本実施形態のテーブルは、天板１１を備えたテーブル本体１にパネル２を少なくとも２つの態様で取り付け可能とするために、テーブル本体１にテーブル側取付具３を設けるとともに、パネル２の上下方向中心ｍよりも上下何れかの縁部（この実施形態では２ｂ）へ偏った位置に上下方向からテーブル側取付具３に差し込み又は抜き取ることによって係脱可能なパネル側被取付具４を設け、このパネル側被取付具４は、上下を反転させても上下方向からテーブル側取付具３に差し込み又は抜き取ることによって係脱可能であり、このパネル側被取付具３を備えたパネル２を上下反転させることによって、図５及び図６に示すように反転前後でパネル２のうち天板１１より上方に突出する寸法ＨＯと天板１１より下方に突出する寸法ＨＵとを変化させ得るようにしたものである。
【００３４】
このように構成すれば、パネル２を把持して上下何れかの縁部２ａまたは２ｂが上または下になるように必要に応じて反転させた後、上下方向に操作するだけで、パネル側被取付具４をテーブル側取付具３に取り付けることができる。このため、パネル２を担持したまま別異のネジ止め作業等を行うことが不要であり、初期取付時や一の態様から他の態様への付け替え時に一人でも極めて平易に作業を行うことができ、従来のものに比べて作業性を格段に向上させることができる。しかも、テーブル側取付具３は脚体１２ではなく天板１１に設けられるので、天板１１の縁部１１ｃに沿って取付位置に自由度が得られ、適用の可否が脚の構造に依存することもなくなって汎用性も向上したものになる。
【００３５】
特に、左右の脚体２、２の間はフレーム１２ｘで連結され、これら脚体２、２およびフレーム１２ｘは天板１１から離間していて、天板１１の前後方向中央部のみが天板受け１１ｘを介してフレーム１２ｘに支持されているため、脚体１２にテーブル側取付具３を取り付ける余地が殆ど無いが、この実施形態では天板１１に天板受け１１ｘを介してテーブル側取付具３を取り付けているため、脚体１２に依存しない取付構造が有効に実現可能となる。同様に、テーブル本体１が対をなす脚体１２、１２を備え、テーブル側取付具３をこれら対をなす脚体１２と脚体１２の間に配置するにあたり、脚体２に取付場所を求めることができないとしても、当該テーブル側取付具３を天板受け１１ｘを介して天板１１に取り付け得るようにしているため、脚体１２とは全く無関係にテーブル側取付具３を取り付けることが可能になる。勿論、これらにおいて、天板受け１１ｘを介さずにテーブル側取付具３を直接天板１１に取り付ける場合にも事情は同じである。
【００３６】
さらに、パネル側被取付具４をビス等の止着具ｖ２を用いてパネル面２ｘに取り付けるには、通常、止着具ｖ２を隠蔽するために別異の部材が必要となるが、この実施形態のパネル側被取付具４は、パネル面２ｘに止着具ｖ２を用いて取り付けた後、係合相手であるテーブル側取付具３によって係合時に同時に止着具ｖ２が隠蔽される状態となるので、部品点数を増やすことなく、取付時の外観を有効に整えることができる。
【００３７】
具体的には、テーブル側取付具３とパネル側被取付具４が天板１１の縁部１１ｃに沿って複数箇所に設けられるとともに、各々のテーブル側取付具４が上下方向に延びる起立杆たる軸部３２を具備し、各々のパネル側被取付具４が軸部３２を挿入すべく上下方向に貫通する挿入孔４１を有しているので、取付姿勢を簡単に上下反転させる構造を実現することができる。
【００３８】
とりわけ、このパネル側被取付具４は、挿入孔４１を挿入方向と異なる方向に開口させる窓４２と、この窓４２の内奥に設けられて止着具ｖ２を挿通可能な止着用孔４３と、この止着用孔４３の上下位置にあってテーブル側取付具３との係合時に当該テーブル側取付具３の一部である先端部３１ｃに当接して係合深さを規制する受け部４４、４５とを具備しているので、パネル側被取付具４に、上下反転させてテーブル側被取付具３に異なる高さで適切に取り付けるための機能と、当該パネル側被取付具４をパネル面２ｘに止着具ｖ２を用いて取り付けるための機能と、当該止着具ｖ２をテーブル側被取付具３によって目隠しするための機能とを有効に付与することができる。
【００３９】
さらに、テーブル側取付具３が、基端部３１ａを天板１１の下面１１ｂに取り付けられ先端部３１ｃを天板下面１１ｂよりも下方に持ち出される受け座３１と、この受け座３１の先端部３１ｃから立ち上がる起立杆たる軸部３２とを具備する一方、パネル側被取付具４が軸部３２を挿入すべく上下方向に貫通する挿入孔４１を有しているので、図６に示すようにパネル２のうちパネル側被取付具４により近い縁部２ｂを上にしてパネル２を取り付けた際に、当該縁部２ｂが天板１１から殆ど上方突出しないようにして取り付けを完了することが可能になる。
【００４０】
なお、各部の具体的な構成は、上述した実施形態のみに限定されるものではない。
【００４１】
例えば図８（ａ）に示すパネル側被取付具１０４のように、挿入孔１４１を挿入方向と異なる方向に開口させる部分的な窓１４２を設け、この窓１４２の内奥に止着具ｖ３を挿通可能な止着用孔１４３を設けるようにしてもよい。
【００４２】
或いは、図８（ｂ）に示すパネル側被取付具２０４のように、ネジ等の止着具ｖ４を挿通可能な上下一対の止着用孔２４３と、両止着用孔２４３の間にあってテーブル側取付具２０３の軸部２３２との係合時に当該テーブル側取付具２０３の一部に当接して係合深さを規制する受け部２４４、２４５とを具備するものとしてもよい。
【００４３】
このようにしても、パネル側被取付具１０４、２０４の機能として、上下反転させてテーブル側被取付具１０３、２０３に異なる高さで適切に取り付けるための機能と、当該パネル側被取付具１０３、２０３を図示しないパネル面にネジ等の止着具ｖ３、ｖ４を用いて取り付けるための機能と、当該止着具ｖ３、ｖ４をテーブル側被取付具１０３、２０３によって目隠しするための機能とを有効に実現することができる。
【００４４】
また、図９に示すように、挿入孔３４１の平断面を、天板３１１の縁部３１１ｃに沿った方向を長手方向とする長円状、或いは図示しない楕円状、長方形等の横長形状とすることも有効である。このようにすれば、挿入孔３４１を上下方向から起立杆、例えば軸部３３２に差し込む際にパネル３０２の左右両端の高さが異なる方向に多少傾いていても各挿入孔３４１を対応する軸部３３２に適切に差し込むことができる。
【００４５】
さらに、図１０に示すように、Ｌ形のテーブル側取付具４０３とハット形のパネル側被取付具４０４とによっても、パネル４０２を上下反転させた際に反転前後でパネル４０２のうち図示しない天板より上方に突出する寸法と天板より下方に突出する寸法とを有効に変化させるように構成することができる。
【００４６】
さらにまた、テーブル側取付具の一部を天板の縁部から持ち出して起立杆を設け、その起立杆にパネル面に取り付けたパネル側被取付具を係合させると、少なくともパネル側被取付具の分だけ天板の縁部とパネル面との間に隙間が空いてしまう。この隙間は配線用隙間として有効利用することも可能であるが、このような隙間を解消したい場合には、図１１に示すように、天板５１１の縁部５１１ｃに切欠５１１ｅを設け、この切欠５１１ｅにパネル側被取付具５０４を位置づけることで、天板５１１の縁部５１１ｃとパネル面５０２ｘとを当接させて天板５１１とパネル５０２との間に隙間が生じない状態を実現することが可能となる。
【００４７】
その他の構成も、本発明の趣旨を逸脱しない範囲で種々変形が可能である。
【符号の説明】
【００４８】
１…テーブル本体
２、３０２、４０２、５０２…パネル
２ａ、２ｂ…上下何れかの縁部
２ｘ、５０２ｘ…パネル面
３、２０３、４０３…テーブル側取付具
４、１０４、２０４、４０４、５０４…パネル側被取付具
１１、３１１、５１１…天板
１２…脚体
１２ａ…後脚
３１…受け座
３１ａ…基端部
３１ｃ…先端部
３２、２３２、３３２…起立杆（軸部）
４１、１４１、３４１…挿通孔
４２、１４２…窓
４３、１４３、２４３…止着用孔
４４、４５、２４４、２４５…受け部
ＨＯ…天板より上方に突出する寸法
ＨＵ…天板より下方に突出する寸法
ｍ…上下方向中心
ｖ２、ｖ３、ｖ４…止着具（ネジ）
【図１】
0005976341.tif 000002
【図２】
0005976341.tif 000003
【図３】
0005976341.tif 000004
【図４】
0005976341.tif 000005
【図５】
0005976341.tif 000006
【図６】
0005976341.tif 000007
【図７】
0005976341.tif 000008
【図８】
0005976341.tif 000009
【図９】
0005976341.tif 000010
【図１０】
0005976341.tif 000011
【図１１】
0005976341.tif 000012